(57)【要約】      （修正有）【課題】優れた意匠性を有し、楽しい食事を演出することができる箸置き、ナイフレスト等の箸類置きを提供する。【解決手段】ステンレス鋼を折曲げて、頂部２ａ及び頂部を挟んだ二面の平面部２ｂ，２ｃを有する素材２に、ステンレス鋼と密着性の高い下塗り部３を塗布する。一面の平坦面２ｂにおける下塗り部３上にインクジェットプリンタにより画像部４を形成する。全表面に透明な硬化樹脂からなる上塗り部５を塗布する。頂部２ａに形成した長孔７の長辺からなる平坦面７ａをナイフ等の支え部とし、４個の突部１２を脚部とする。【選択図】図１
0003206147.tif 000002
【実用新案登録請求の範囲】
【請求項１】
ステンレス鋼板を所定角度に折曲げて形成され、頂部及び該頂部を挟んだ二面の平面部を有する素材と、
該素材の表面に塗布された、前記ステンレス鋼材と密着性の高い樹脂からなる下塗り部と、
前記二面の平面部の少なくとも一面の表面における前記下塗り部上に印刷された画像部と、
前記表面の少なくとも前記画像部上に塗布された透明な硬化樹脂からなる上塗り部と、
を備えたことを特徴とする箸類置き。
【請求項２】
前記頂部は、断面アール形状からなり、該頂部の長手方向中央部に切欠かれた長孔を有し、該長孔の長辺が互いに平行な平坦面からなり、
前記二面の平面部は、それぞれその端縁に長手方向中央から所定間隔離れた２個の突部を有してなる、
請求項１記載の箸類置き。
【請求項３】
前記二面の平面部の端縁は、円弧面からなり、該円弧面の中央部に円弧状に切欠かれた切欠き面を有し、前記円弧面と前記切欠き面の交点により前記２個の突部が形成されてなる、
請求項２記載の箸類置き。
【請求項４】
前記画像部は、インクジェットプリンタにより印刷された写真であり、
前記上塗り部は、８０〜１００［℃］で完全硬化する樹脂からなる、
請求項１ないし３のいずれか記載の箸類置き。
【請求項５】
前記下塗り部は、前記頂部及び前記二面の平面部の表面全面に塗布された白色の樹脂であり、
前記画像部は、前記二面の平面部の一面のみに印刷され、
前記上塗り部は、前記一面の画像部並びに前記頂部及び他面の前記平面部の前記下塗り部の表面全面に塗布されてなる、
請求項１ないし４のいずれか記載の箸類置き。
【考案の詳細な説明】
【技術分野】
【０００１】
本考案は、食卓で使用するナイフ、フォーク、スプーン等のカトラリー及び箸等の箸類を置く箸類置きに関する。
【背景技術】
【０００２】
上記箸類の食品に触れる部分が食卓上に直接接触しないように、箸類の先端部分を支える箸置き、ナイフ（カトラリー）レストが知られている。ナイフ、フォーク、スプーンを置くナイフレストは、一般に、金属で構成され、例えば両端部に十字状のエンド部と両エンド部を連結する棒状の支え部、又は金属を折り曲げて３角状に食卓に置くもの等、比較的単純な構造からなる、箸置きは、陶器又は木材からなり、各種のデザインからなる。
【０００３】
箸置きにあって、金属で形成されるものも提案されている（例えば特許文献１参照）。
【先行技術文献】
【特許文献】
【０００４】
【特許文献１】特開２０１０−１３１３３９号公報
【考案の概要】
【考案が解決しようとする課題】
【０００５】
上記従来のナイフレストは、クロームメッキや白色等の単色を塗布したもの等があるが、構造が単純な上、単色からなるため、食卓にあっても地味な存在で、話題になったり、印象に残るものではない。箸置きは、各種デザインのものがあり、食卓のポイントになることはあるとしても、陶器、木材からなり、印刷することはできず、旅館等で御当地に関連した話題の種となったり、旅の思い出にお土産として購入しようとするものではない。
【０００６】
また、上記特許文献１の箸置きは、金属の塊からなり、衛生上及び耐久性の問題で箸と共に木製等から金属に代えたものであって、印刷により箸類置きの魅力を高めるものではない。
【０００７】
そこで、本考案は、金属から構成され、その表面に画像を印刷して、上述した課題を解決したナイフレスト、箸置き等の箸類置きを提供することを目的とするものである。
【課題を解決するための手段】
【０００８】
請求項１に係る本考案は、ステンレス鋼板を所定角度に折曲げて形成され、頂部（２ａ）及び該頂部を挟んだ二面の平面部（２ｂ）（２ｃ）を有する素材（２）と、
該素材の表面に塗布された、前記ステンレス鋼材と密着性の高い樹脂からなる下塗り部（３）と、
前記二面の平面部の少なくとも一面の表面における前記下塗り部上に印刷された画像部（４）と、
前記表面の少なくとも前記画像部上に塗布された透明な硬化樹脂からなる上塗り部（５）と、
を備えたことを特徴とする箸類置きにある。
【０００９】
請求項２に係る本考案は、前記頂部（２ａ）は、断面アール形状からなり、該頂部の長手方向中央部に切欠かれた長孔（７）を有し、該長孔の長辺が互いに平行な平坦面（７ａ，７ａ）からなり、
前記二面の平面部は、それぞれその端縁に長手方向中央から所定間隔離れた２個の突部（１２，１２）を有してなる、
請求項１記載の箸類置きにある。
【００１０】
請求項３に係る本考案は、前記二面の平面部（２ｂ，２ｃ）の端縁（１０）は、円弧面からなり、該円弧面の中央部に円弧状に切欠かれた切欠き面（９）を有し、前記円弧面（１０）と前記切欠き面（９）の交点により前記２個の突部（１２，１２）が形成されてなる、
請求項２記載の箸類置きにある。
【００１１】
請求項４に係る本考案は、前記画像部（４）は、インクジェットプリンタにより印刷された写真であり、
前記上塗り部は、８０〜１００［℃］で完全硬化する樹脂からなる、
請求項１ないし３のいずれか記載の箸類置きにある。
【００１２】
請求項５に係る本考案は、前記下塗り部（３）は、前記頂部（２ａ）及び前記二面の平面部（２ｂ，２ｃ）の表面全面に塗布された白色の樹脂であり、
前記画像部（４）は、前記二面の平面部の一面（２ｂ）のみに印刷され、
前記上塗り部（５）は、前記一面（２ｂ）の画像部（４）並びに前記頂部（２ａ）及び他面の前記平面部（２ｃ）の前記下塗り部（３）の表面全面に塗布されてなる、
請求項１ないし４のいずれか記載の箸類置きにある。
【００１３】
なお、上記カッコ内の符号は、図面と対照するためのものであるが、これにより実用新案登録請求の範囲に記載の構成に何等影響を及ぼすものではない。
【考案の効果】
【００１４】
請求項１に係る本考案によると、本箸類置きは平面部に画像部が印刷された優れた意匠性を有し、例えば御当地の風景を画像部とすることにより旅先での又は旅の思い出として食卓の話題作りの一助となり、楽しい食事を演出することができる。また、ステンレス鋼を折曲げることにより容易に製造可能であり、該ステンレス鋼は、難塗装材料であるが、密着性の高い下塗り部を介在するので、画像部を高い精度で印刷することができ、かつ画像部上に透明な硬化樹脂が塗布されて画像部を安定して保持し、素材がステンレス鋼からなることと相俟って、高い耐久性を有し、食卓用具としての安全性を確保して、箸類置きとして高い実用性を有し、また旅の思い出としてインテリアとして飾ることもでき、お土産用として好適である。
【００１５】
請求項２に係る本考案によると、頂部に長孔を形成し、該長孔の長辺を平坦面として、ナイフ、箸等の置き部とし、かつ二面の平面部の底部分に合計４個の突部を脚部として食卓上に置かれるので、本箸類置きは、食卓上にガタつくことなく安定して置かれ、かつ頂部の稜線から凹んで形成された長孔の長辺からなる平坦面にナイフ、箸等を安定して支えることができるので、ナイフ、フォーク、スプーン等のカトラリー用ナイフレストとしても、箸用の箸置きとしても用いることができる。
【００１６】
請求項３に係る本考案によると、二面の平面部の端縁を円弧面とし、該円弧面に円弧状の切欠き面を形成して、その交点を、脚部となる突部としたので、本箸類置きの形状は、プレスにより容易に成形可能でありながら、端縁等に角部となるところがなく、高い安全性を備える。
【００１７】
請求項４に係る本考案によると、画像部が写真であるので、風景等の多種の画像を容易に取込んで、かつインクジェットプリンタにより平面部に印刷することができ、多種類の箸類置きを容易に得ることができ、例えば個人の写真データをネット又は写メール等で送ってもらって、各個人の特有の箸類置きの製造、販売等の新たなビジネスモデルが可能となる。また、インクジェットプリンタ用のインクは熱に弱いが、上塗り部を８０〜１００［℃］の低温で完全硬化する樹脂とするので、インクジェットプリンタ用のインクでも劣化及び変色を生じることがなく、精度の高い画像部を安定して得ることができる。
【００１８】
請求項５に係る本考案によると、下塗り部が白色の樹脂からなるので、その上に印刷された画像部は、鮮明で良好な画像を得ることができ、かつ他面の平面部及び頂部は、白色の下塗り部が表われ、表面全面の透明な樹脂からなる上塗り部と相俟って、清潔な印象で品のよい箸類置きが得られる。
【図面の簡単な説明】
【００１９】
【図１】（ａ）は、本考案に係る箸類置き（箸置き、ナイフレスト）の正面図、（ｂ）は、その背面図、（ｃ）は、その平面図、（ｄ）は、その側面図、（ｅ）は、その拡大した断面図。
【図２】前記箸類置きの使用状態を示す平面図。
【図３】治具を用いた下塗り部及び上塗り部を形成している状態を示す斜視図。
【図４】治具を用いた画像部を形成している状態を示す斜視図。
【考案を実施するための形態】
【００２０】
以下、図面に沿って、本考案の実施の形態について説明する。箸置き及びナイフ（カトラリー）レスト等の箸類置き１は、図１に示すように、ステンレス鋼からなる所定形状の板材を所定角度に折曲げられて形成され、折曲げられた断面アール状の頂部２ａと、該頂部２ａを挟んだ正面側及び背面側二面の平面部２ｂ，２ｃを有する素材２からなる。素材２の表面には、上記頂部２ａ及び二面の平面部２ｂ，２ｃの全面に亘って上記素材と密着性の高い樹脂が塗布された下塗り部３が形成され、正面側（一面）の平面部２ｂの上記下塗り部３上に風景等の画像が印刷された画像部４が形成され、更に該画像部４のある平面部２ｂ、上記下塗り状態の上記頂部２ａ及び背面側（他面）の平面部２ｃ全面に透明な硬化樹脂が塗布された上塗り部５が形成される。上記下塗り部３は、白色の樹脂からなり、該白色の下塗り部３上に画像部４が印刷され、更にその上に透明な樹脂からなる上塗り部５がコーティングされ、本箸類置き１の正面側の平面部２ｂには、風景（本実施の形態では山岳風景）等の画像部４が鮮明に描かれており、かつその他の表面である頂部２ａ及び背面側平面部２ｃは白色になっている。
【００２１】
本実施の形態にあっては、板厚約０．８［ｍｍ］ステンレス鋼（ＳＵＳ３０４）が用いられ、プレスにより略円形に打抜かれると共に、その中央部に長辺が直線からなる長孔７が打抜かれ、かつ該長辺と平行な端縁部分に円弧状の切欠かれた切欠き面９，９が形成される。該平板のステンレス鋼が上記長孔７を頂部分として６０〜７０度に折曲げられて、上記素材２が形成される。従って、頂部２ａに位置する長孔７は、その直線状の長辺が、正面視（及び背面視）にあって［図１（ａ）（ｂ）参照］、頂部２ａの稜線の中央部にて下方に凹んだ平面な平坦面７ａ，７ａとなる。また、素材２の端縁（外郭部）は、正面視［図１（ａ）参照］及び背面視［図１（ｂ）参照］において全体で略円弧面１０からなり、該円弧面の中央部である底部分に円弧状に切欠き面９，９が形成されている。上記円弧面１０と切欠き面９の交点１２，１２がそれぞれ突部となり、これら合計４個の突部１２が、箸類置き１の底部において長手方向中央から所定間隔離れた脚部を構成する。
【００２２】
従って、本箸類置き１は、図２に示すように、食卓において例えばナイフレストとして用いられる。該箸類置き１は、４個の突部１２…からなる脚によりガタつくことなく安定して食卓又はテーブルクロス上に置かれる。ナイフ、スプーン、フォーク等のカトラリー１３は、頂部２ａの稜線から凹んだ長孔７の平坦面７ａに支えられ、左右にずれることなく安定して支持される。なお、箸を置いて箸置きとしても、上記凹んだ平坦面７ａに支持されるので、違和感なく使用することができる。この際、箸類置き１の正面側（食事をする人と対面する側）には画像部４が位置するように箸類置きが置かれるので、ナイフ等の使用時に画像部の風景画像に目が行くこととなり、例えば旅館等で用いる場合、御当地の名所の風景等を画像部に印刷した箸類置き１を見て、食事の話題の一助に供することができる。また、旅行のお土産として、家庭等で思い出として箸類置きの画像を見ることができ、またインテリアとして飾ることもできる。
【００２３】
本箸類置き１は、ステンレス鋼を素材とし、密着性の高い樹脂を下塗り部３として、その上に画像部４を印刷し、更に透明な硬化樹脂を上塗り部５としたので、耐久性に優れ、食卓に用いる器具として高い安全性を備える。
【００２４】
また、下塗り部を白色樹脂としたので、画像部の印刷を鮮明に仕上げることができ、背面側及び頂部は白色となって、清潔な印象を与えることができ、更に箸類置き１全体が角のない曲線形状からなり、全体として和風の好ましい意匠となっている。また、箸類置き１全体に、脚部となる突部１２を含めて全体が角のない滑らかな形状からなるので、洗浄等の取扱いにあって安全である。
【００２５】
なお、上述した実施の形態は、略円形にステンレス鋼を打抜いた素材を用いているが、これに限らず、素材を長方形等の他の形状として、画像部４を形成する平面部を広くしてもよく、また頂部２ａはアール形状のない又は小さい角状の折曲げでもよく、更に長孔７をなくして、長い頂部上にナイフ等のカトラリーを並べて置くようにしてもよい。
【００２６】
図３は、下塗り及び上塗り工程を示す図である。折曲げられた素材２と同じ角度及びアールの頂部１５ａを有する治具１５を用いる。該治具１５は、３角状に折曲げられた頂部１５ａを上にして置かれ、該頂部１５ａに素材２の頂部２ａを合せて、治具１５上に多数の素材２が等間隔に並べられる。この状態で下塗り用塗料又は上塗り用塗料が吹き付けられる。ステンレス鋼は、塗装膜の密着性の悪い難塗装材料であるため、密着性の高い、分子中に炭素２個と酸素１個を有する三員環エポキシ樹脂をバインダーとする塗料を下塗り部３に用いられる。これにより、エポキシ樹脂のエポキシ基に多数有している酸素とステンレス鋼の表面に存在する水素基が水素結合して密着性を向上する。
【００２７】
図４は、画像部を形成する工程を示す図である。画像部４は、カメラで撮影された風景等の写真データをインクジェットプリンタを用いて印刷される。該印刷に際して治具１６が用いられる。該治具１６は、アルミ材の削り出しで形成され、台上に置かれた際、上面１６ａが水平面となり、一方の側面（立上り面）が素材２の折曲げ角度に合せて下方に向けて幅（肉厚）方向が狭くなるように傾斜した傾斜面１６ｂからなり、上記上面１６ａと傾斜面１６ｂの交点が素材２の頂部２ａのアール形状を受け入れる受け面１６ｃとなっている。該治具１６上に、上記素材２の頂部２ａが受け面１６ｃに合わさるように該素材２が置かれる。この状態では、素材２の他面（背面側）の平面部２ｃが傾斜面１６ｂに沿って傾斜されて、素材２の一面（表面側）の平面部２ｂが治具１６の上面１６ａに載置されて水平状態にある。この状態で、インクジェットプリンタのノズル１７を移動して風景写真等の画像が素材２の平面部２ｂ表面に印刷される。
【００２８】
この際、インクジェットプリンタのノズル１７は、治具１６の水平な上面に置かれた平面部２ｂに対してその移動（主走査方向、副走査方向）に拘らず常に一定間隔にあって、精度の高い印刷が行われる。これにより、下塗り部３が白色の密着性の高い樹脂からなることと相俟って、鮮明な画像が得られる。また、写真をインクジェットプリンタで印刷するので、画像部４の画像は、各種色々選択することができ、多数の種類の画像を容易に得ることができる。なお、本実施の形態にあっては、二面の内の一面の平面部２ｂのみに画像を形成したが、これは、治具１６に反転して素材２を置き、両面の平面部２ｂ，２ｃに画像部４を形成してもよい。
【００２９】
該両面の平面部２ｂ，２ｃに画像を形成する際、画像は、同じもの又は異なるもの等、どのようなものでも採用可能であるが、正面側の平面部２ｂには正面から撮影したもの、背面側の平面部２ｃには同じ題材を背面から撮影したものを用い、箸類置きに、立体的な画像を表現してもよい。この場合、素材２の頂部を角をたてて（アールをなくして）正面側及び背面側の両平面部２ｂ，２ｃの画像が連続するようにしてもよい。
【００３０】
ついで、同じ図３に示す治具１５を用いて、上塗りが行われる。先に説明した下塗りと同様に、治具１５に頂部１５ａ，２ａを合せて素材２が並べられる。この状態で、素材２の表側全面に透明な硬化樹脂が吹き付けられる。上述した下塗り部３も該上塗り部５も、素材２が治具１５上に吹き付けに対して効率の良い状態で載置されているため、共に１回の吹き付けで足り、上記片面のみの画像部４の形成と相俟って、高い生産性で箸類置き１を製造し得る。また、治具１５上に密着して素材２が載置されているため、塗料が素材の裏面に回ったり、霧状に付着することがなく、箸類置き１の裏面に塗料が付着して美観を損なうことを防止でき、かつ素材２の表面及び板厚端縁に高い精度に塗装することができる。
【００３１】
画像部４を形成するインクジェットプリンタ用インクは、耐摩耗性が十分でなく、該画像部上に耐摩耗性を高めかつ光沢のある透明な上塗り部５が形成される。該上塗り部５の塗料（樹脂）は、２液混合タイプのアクリル−ウレタン系塗料が用いられる。インクジェットプリンタ用インクは、熱に弱く、一般的な金属用塗料は、１３０［℃］以上の高温で焼成されるが、上記塗料は、８０〜１００［℃］の低温で完全に硬化するため、インクジェットプリンタ用インクで印刷された画像部４が劣化したり変色することはない。また、上記塗料は、透明性に優れているため、画像部４に印刷した画像の色調を損なうことはない。
【００３２】
上記下塗り部３、画像部４及び上塗り部５からなる上記箸類置き１は、中性洗剤に常温で１４日間の浸漬試験をした結果、塗膜浮き、塗膜剥れは発生しなかった。また、スポンジや布で洗っても傷付くことはなかった。従って、上記箸類置き１は、実用に耐え得る耐久性を有している。
【００３３】
上述した箸類置き１は、旅館、レストランでの使用、お土産品としての販売の外、個人の写真データをオンライン、写メール、郵送で受けて、それを上述した方法で製造し、
個人固有の箸置きとして販売するビジネスモデルも可能となる。
【符号の説明】
【００３４】
１      箸類置き
２      素材
２ａ    頂部
２ｂ    一面の平面部
２ｃ    他面の平面部
３      下塗り部
４      画像部
５      上塗り部
７      長孔
７ａ    平坦面
９      切欠き面
１０      端縁（円弧面）
１２      突部
【図１】
0003206147.tif 000003
【図２】
0003206147.tif 000004
【図３】
0003206147.tif 000005
【図４】
0003206147.tif 000006